(57)【要約】【課題】２つの部材を近接位置に配置し、それぞれの拡散部をつなぎ合わせた状態にして照光した場合に、拡散部同士の合わせ部位を目立たせにくくできる演出装置および遊技機を提供する。【解決手段】光透過体５６，７６は、ＬＥＤが発する光を前面の装飾部５６Ｃ，７６Ｃから拡散して出射する。光透過体５６の右側壁と光透過体７６の左側壁は、ＬＥＤが発する光を拡散して外面から出射し、左装飾体５０と右装飾体７０の間隙内を照らすので、間隙が目立たない。また、反射部５６Ｅが稜角部５６Ｇ，７６Ｇ間に生ずる間隙を埋め、左装飾体５０と右装飾体７０の間隙の奥は見えない。さらに、反射部５６ＥはＬＥＤの発する光を反射し、間隙を介して演出装置３０前方に出射するので、装飾部５６Ｃ，７６Ｃから出射される光との輝度差が小さくなり、より間隙が目立たない。【選択図】図１０
2015116443.tif 000002
【特許請求の範囲】
【請求項１】
遊技機に設ける演出装置であって、
光を発する第一光源および前記第一光源から入射する光を拡散反射する第一拡散部を内部に配置し、少なくとも、前記遊技機の正面側を向く面である第一前面と、前記第一前面の一辺に接続し、前記第一前面に対して側方に位置する側面である第一側面とに前記第一拡散部を露出して、前記第一拡散部が拡散反射した拡散光を前記第一前面および前記第一側面から出射する第一部材と、
光を発する第二光源および前記第二光源から入射する光を拡散反射する第二拡散部を内部に配置し、少なくとも、前記遊技機の正面側を向く面である第二前面と、前記第二前面の一辺に接続し、前記第二前面に対して側方に位置する側面である第二側面とに前記第二拡散部を露出して、前記第二拡散部が拡散反射した拡散光を前記第二前面および前記第二側面から出射する第二部材と、
前記第一部材と前記第二部材とを、前記第一側面と前記第二側面とが互いに近接する近接位置と、前記第一側面と前記第二側面とが互いに離間する離間位置との間で移動する移動機構と
を備え、
前記第一部材は、前記第一前面において、前記第一前面と前記第一側面とがなす稜角部分である第一稜角部を含んだ状態で前記第一拡散部を露出し、
前記第二部材は、前記第二前面において、前記第二前面と前記第二側面とがなす稜角部分である第二稜角部を含んだ状態で前記第二拡散部を露出すること
を特徴とする演出装置。
【請求項２】
前記第一拡散部と一体に設け、前記第一側面から突出し、前記第一拡散部が拡散反射した拡散光を少なくとも前記遊技機の正面側へ向けて反射する第一反射部をさらに備えたことを特徴とする請求項１に記載の演出装置。
【請求項３】
前記第二部材は、前記第二側面に、前記第一反射部を収容する凹部を設けたことを特徴とする請求項２に記載の演出装置。
【請求項４】
前記第一反射部は、前記第一拡散部が前記第一稜角部において占める範囲に対応する長さ分、前記第一側面において延びることを特徴とする請求項２または３に記載の演出装置。
【請求項５】
前記第一反射部は、表面を凹凸状に形成したことを特徴とする請求項２から４のいずれかに記載の演出装置。
【請求項６】
前記第二拡散部と一体に設け、前記第二側面から突出し、前記第二拡散部が拡散反射した拡散光を少なくとも前記遊技機の正面側へ向けて反射する第二反射部をさらに備えたことを特徴とする請求項２から５のいずれかに記載の演出装置。
【請求項７】
請求項１から６のいずれかに記載の演出装置を備える遊技機。
【発明の詳細な説明】
【技術分野】
【０００１】
本発明は、遊技状態に応じて光を放ち演出する演出装置および遊技機に関する。
【背景技術】
【０００２】
従来、パチンコ機に設け、キャラクタ類、文字、図形等の意匠を施した二つの部材が互いに近接する位置と離間する位置との間で相対的に移動し、遊技状態に応じた演出を行う演出装置が知られている。例えば特許文献１に記載の可動役物装置は、遊技機の上下方向を軸に回転し、自転方向に沿って３つの異なる面を有する柱状体からなる可動役物を２つ備える。可動役物は２つの面に表示板と意匠板を露出する。表示板と意匠板は、それぞれ光透過性の表示部と光透過部を有し、可動役物が内蔵するＬＥＤの光で照光する。特許文献１では、演出内容に応じて可動役物を回転させて表示板または意匠板を遊技機の正面側に配置し、可動役物同士を近接または離間する方向へ移動させ、表示部または光透過部を照光して演出を行う。
【０００３】
特許文献１において、２つの可動役物の意匠板をそれぞれ正面側に配置し、可動役物同士を近接させて意匠板同士をつなぎ合わせた状態にすると、可動役物同士が対向する部位にはそれぞれの表示部が向き合って配置される。この状態で表示板の表示部を照光した場合、可動役物同士の対向部位から光が漏れ、意匠板同士の合わせ部位において光のスジを形成するため、通常、意匠板を正面側に配置した場合の演出において、表示部の照光は行わない。
【先行技術文献】
【特許文献】
【０００４】
【特許文献１】特開２０１２−１１０４３２号公報
【発明の概要】
【発明が解決しようとする課題】
【０００５】
しかしながら、可動役物同士が近接した状態で対向部位間に間隙がある場合、遊技者は、意匠板同士の合わせ部位の隙間を通して対向部位間の間隙を視認することができる。意匠板の光透過部を意匠板同士の合わせ部位にも設け、２つの意匠板の光透過部をつなぎ合わせて一体にして光らせる場合、光透過部を照光すると、合わせ部位の隙間を通して見える可動役物同士の対向部位が暗く見え、目立つという問題があった。
【０００６】
本発明は、２つの部材を近接位置に配置し、それぞれの拡散部をつなぎ合わせた状態にして照光した場合に、拡散部同士の合わせ部位が目立たせにくくできる演出装置および遊技機を提供することを目的とする。
【課題を解決するための手段】
【０００７】
本発明の第一態様によれば、遊技機に設ける演出装置であって、光を発する第一光源および前記第一光源から入射する光を拡散反射する第一拡散部を内部に配置し、少なくとも、前記遊技機の正面側を向く面である第一前面と、前記第一前面の一辺に接続し、前記第一前面に対して側方に位置する側面である第一側面とに前記第一拡散部を露出して、前記第一拡散部が拡散反射した拡散光を前記第一前面および前記第一側面から出射する第一部材と、光を発する第二光源および前記第二光源から入射する光を拡散反射する第二拡散部を内部に配置し、少なくとも、前記遊技機の正面側を向く面である第二前面と、前記第二前面の一辺に接続し、前記第二前面に対して側方に位置する側面である第二側面とに前記第二拡散部を露出して、前記第二拡散部が拡散反射した拡散光を前記第二前面および前記第二側面から出射する第二部材と、前記第一部材と前記第二部材とを、前記第一側面と前記第二側面とが互いに近接する近接位置と、前記第一側面と前記第二側面とが互いに離間する離間位置との間で移動する移動機構とを備え、前記第一部材は、前記第一前面において、前記第一前面と前記第一側面とがなす稜角部分である第一稜角部を含んだ状態で前記第一拡散部を露出し、前記第二部材は、前記第二前面において、前記第二前面と前記第二側面とがなす稜角部分である第二稜角部を含んだ状態で前記第二拡散部を露出することを特徴とする演出装置が提供される。
【０００８】
第一態様に係る演出装置は、第一部材と第二部材を近接位置に移動した場合、第一稜角部と第二稜角部が近接して配置される。第一前面と第二前面にそれぞれ露出する第一拡散部と第二拡散部は、第一稜角部と第二稜角部を挟んで繋がった状態となるが、遊技者は、第一稜角部と第二稜角部との間を通し、第一側面と第二側面との間に生ずる間隙を視認できる。演出によって第一拡散部と第二拡散部が拡散光を出射する場合、第一前面と第二前面から放たれる光は、第一稜角部と第二稜角部の間で途切れる。しかし、第一側面と第二側面の間隙内は、第一側面から放たれる光と、第二側面から放たれる光によって照らされ、明るくなる。ゆえに演出装置は、第一側面と第二側面の間隙を目立たせにくくすることができる。
【０００９】
第一態様は、前記第一拡散部と一体に設け、前記第一側面から突出し、前記第一拡散部が拡散反射した拡散光を少なくとも前記遊技機の正面側へ向けて反射する第一反射部をさらに備えてもよい。第一前面と第二前面にそれぞれ露出する第一拡散部と第二拡散部が放つ光は、遊技者の目に直接入る。一方、第一側面と第二側面においてそれぞれ露出する第一拡散部と第二拡散部が放つ光は、第一側面と第二側面の間隙内を照らすものの、遊技者の目には間接的に入る。このため、遊技者は、第一前面と第二前面においてそれぞれ露出する第一拡散部と第二拡散部が繋がった状態に見えるものの、第一稜角部と第二稜角部の間が暗く感じる場合がある。第一態様では、第一部材と第二部材が近接位置にある場合に第一側面と第二側面の間隙内に位置する第一反射部が、遊技機正面側へ向けて反射光を放ち、遊技者の目に直接入る。ゆえに演出装置は、第一側面と第二側面の間隙を、より目立たせにくくすることができる。
【００１０】
第一態様において、前記第二部材は、前記第二側面に、前記第一反射部を収容する凹部を設けてもよい。演出装置は、近接位置において、第一側面から突出する第一反射部を第二側面に設けた凹部内に収容することができるので、第一側面と第二側面をより近接させることができ、第一側面と第二側面の間隙をより小さくできる。ゆえに演出装置は第一側面と第二側面の間隙を目立たなくすることができる。また、第一部材と第二部材との突き合わせの精度が低く、近接位置ながら、第一側面と第二側面の間隙が大きくなってしまう場合がある。こうした場合であっても、第一反射部は、一部を凹部に収容させた状態を確保できるので、第一部材と第二部材との間隙を正面側から見た場合に、第一反射部は、間隙を通した視線を遮ることができる。ゆえに演出装置は、第一部材と第二部材とが近接位置にある場合において間隙の奥側を遊技者に見させないようにでき、第一側面と第二側面の間隙を目立たせにくくすることができる。
【００１１】
第一態様において、前記第一反射部は、前記第一拡散部が前記第一稜角部において占める範囲に対応する長さ分、前記第一側面において延びてもよい。第一反射部の反射光を、第一拡散部の形成範囲に合わせて出射することができる。ゆえに演出装置は、近接位置において、第一前面に露出する第一拡散部と第二前面に露出する第二拡散部が放つ拡散光を、第一反射部が放つ反射光で繋ぐように見せることができ、間隙を目立たせにくくすることができる。
【００１２】
第一態様において、前記第一反射部は、表面を凹凸状に形成してもよい。第一反射部の表面に凹凸状の加工を施すことで、第一反射部は、単に拡散光を遊技機正面側へ反射するだけでなく、間隙内へ拡散することもできる。ゆえに演出装置は、間隙をさらに目立たせにくくすることができる。
【００１３】
第一態様は、前記第二拡散部と一体に設け、前記第二側面から突出し、前記第二拡散部が拡散反射した拡散光を少なくとも前記遊技機の正面側へ向けて反射する第二反射部をさらに備えてもよい。第一側面と第二側面の間隙内から遊技機正面側へ向けて反射光を放つ第一反射部と第二反射部を備えたことで、第一光源からの光と第二光源からの光が第一側面と第二側面の間隙内を均一に照らすので、演出装置は、間隙をさらに目立たせにくくすることができる。
【００１４】
本発明の第二態様によれば、請求項１から６のいずれかに記載の演出装置を備える遊技機が提供される。第二態様に係る遊技機は、第一態様の演出装置を備えることで、演出装置が近接位置で演出を行った場合に、遊技者が第一部材の第一側面と第二部材の第二側面との間隙に気づきにくくなるので、演出を違和感なく楽しませることができる。
【図面の簡単な説明】
【００１５】
【図１】パチンコ機１の正面図である。
【図２】前ケース９１を外した状態であり、左装飾体５０および右装飾体７０が離間位置にある場合の演出装置３０の正面図である。
【図３】演出装置３０の背面図である。
【図４】演出装置３０を前方、右側方および上方から見た分解斜視図である。
【図５】左装飾体５０を前方、右側方および上方から見た斜視図である。
【図６】左装飾体５０を前方、右側方および上方から見た分解斜視図である。
【図７】右装飾体７０を前方、左側方および上方から見た斜視図である。
【図８】右装飾体７０を前方、左側方および上方から見た分解斜視図である。
【図９】前ケース９１を外した状態であり、左装飾体５０および右装飾体７０が近接位置にある場合の演出装置３０の正面図である。
【図１０】図９の二点鎖線Ｑで囲う円内を拡大した演出装置３０の正面図である。
【図１１】図９の二点鎖線Ｑで囲う円内を拡大した変形例としての演出装置１３０の正面図である。
【発明を実施するための形態】
【００１６】
以下、本発明の一実施形態である演出装置３０およびパチンコ機１について、図面を参照して説明する。まず、演出装置３０を備えるパチンコ機１の機械的な構成について、図１を参照して説明する。なお、以下の説明において、パチンコ機１の上下方向、左右方向、および表裏方向については、特に断りがない場合、遊技盤２の盤面の向きを基準とする。すなわち、ホールに設置されたパチンコ機１で遊技を行う遊技者からパチンコ機１を見た向き（すなわち図１に図示されるパチンコ機１の向き）が基準となる。以下では便宜上、表裏方向を前後方向として、説明を行う。また、パチンコ機１に使用される装置や部品についても、パチンコ機１に組み付けられた場合の向きを基準に、上下方向、左右方向、および前後方向を規定するものとする。
【００１７】
図１に示すように、パチンコ機１の上段側には遊技盤２が設けられている。遊技盤２は略正方形であり、透明なガラス板を保持した前面枠１３によって前面を保護されている。遊技盤２の下段側には上皿５および下皿６が設けられている。上皿５は遊技盤２の下部に設けられ、発射機（図示略）に遊技球を供給し、且つ賞品球を受ける。上皿５の上部中央には、遊技者によって操作される操作ボタン９が配設されている。下皿６は上皿５の直下に設けられ、上皿５から溢れたり排出されたりする賞品球を受ける。下皿６の右横には、遊技球の発射を調整する発射ハンドル７が設けられている。また、前面枠１３の上部の左右の角には、スピーカ４８がそれぞれ設けられている。
【００１８】
遊技盤２の前面には、ガイドレール３で囲まれた略円形の遊技領域４が形成されている。遊技領域４の略中央には、ＬＣＤ（液晶ディスプレイ）等を用いて構成される表示装置２８が設けられている。表示装置２８は遊技盤２の背面側に配置され、遊技盤２の略中央に設けられた開口を介し、パチンコ機１の前面に露出する。表示装置２８の表示画面には、動画、メッセージ等の様々な映像が表示され、特に、大当り判定の結果を報知するためのデモ図柄が表示される。パチンコ機１は、複数（本実施形態では３つ）のデモ図柄を変動させた後に、大当たり判定の結果を示すデモ図柄の組み合わせを確定表示させる報知演出を実行することで、大当たり判定の結果を遊技者に報知する。
【００１９】
遊技盤２の開口の縁部には、装飾等が施され、表示装置２８の外縁を取り囲む飾り枠２９と、飾り枠２９と共に各種演出を行う複数の演出装置が設けられている。演出装置は飾り枠２９内、あるいは飾り枠２９と表示装置２８との間に配置される。演出装置は、遊技状態に応じ、その場で、あるいは表示装置２８の前側にせり出して、ＬＥＤ等の発光体を発光させる等の演出を行う。そのうちの一つである演出装置３０は、表示装置２８の下側外縁に沿って設けられている。詳細については後述するが、演出装置３０は、非演出時には正面から見て飾り枠２９に隠れた位置に配置される。演出装置３０は、演出時にはモータの動力を用いて装飾体を駆動し、さらにＬＥＤ等の発光体を発光させ、表示装置２８およびスピーカ４８等と連動しながら様々な演出を行う。
【００２０】
表示装置２８の右方には普通図柄始動ゲート１２が設けられている。普通図柄始動ゲート１２の下方にはＶアタッカー１７が配設されている。Ｖアタッカー１７は、上方に、左右に開閉する開閉部材１７Ａを備え、遊技球は、開閉部材１７Ａが右方に開いた状態でのみ、Ｖアタッカー１７に入賞できる。Ｖアタッカー１７の左斜め下方には、通常アタッカー１６が設けられている。通常アタッカー１６は、上部に、前後方向に出退する出退部材１６Ａを備え、遊技球は、出退部材１６Ａが後方へ移動した状態でのみ、通常アタッカー１６に入賞できる。表示装置２８の下方には、第一特別図柄始動入賞口１４が設けられている。第一特別図柄始動入賞口１４の直下には第二特別図柄始動電動役物１５が設けられている。第一特別図柄始動入賞口１４、第二特別図柄始動電動役物１５、通常アタッカー１６、Ｖアタッカー１７に遊技球が入賞すると、それぞれ所定数の遊技球が賞品球として払い出される。
【００２１】
遊技領域４の右斜め下部には図柄表示部２４が設けられている。図柄表示部２４は、普通図柄表示部、第一特別図柄表示部、第二特別図柄表示部、普通図柄記憶数表示ＬＥＤ、第一特別図柄記憶数表示ＬＥＤ、および第二特別図柄記憶数表示ＬＥＤを備える。
【００２２】
本実施形態では、第一特別図柄始動入賞口１４へ遊技球が入賞すると、第一大当り判定が行われ、判定の結果に応じて複数の特別図柄のうちの１つが図柄表示部２４の第一特別図柄表示部に表示される。その結果、大当たりであると判定されると、通常アタッカー１６およびＶアタッカー１７が所定の順序で開放される大当たり遊技が実行される。Ｖアタッカー１７に入賞した遊技球の流路には、特定領域および非特定領域が形成されている。パチンコ機１では、大当たり遊技中に遊技球がＶアタッカー１７内の特定領域を通過することが、大当たり遊技終了後に確率変動状態を生起する条件となっている。Ｖアタッカー１７は、本実施形態では１回の大当たり遊技中に１回開放される。なお、遊技盤２の背面側には、遊技の主制御、各種演出等を制御する制御部（図示略）が設けられている。
【００２３】
また、普通図柄始動ゲート１２を遊技球が通過すると普通当り判定が行われて、判定結果が図柄表示部２４の普通図柄表示部に表示される。その結果、普通当たりであると判定されると、第二特別図柄始動電動役物１５が開放される。第二特別図柄始動電動役物１５へ遊技球が入賞すると、第二大当り判定が行われ、判定結果は図柄表示部２４の第二特別図柄表示部に表示される。その結果、大当たりであると判定されると、上記同様に大当たり遊技が実行される。
【００２４】
普通図柄記憶数表示ＬＥＤは、普通図柄作動保留球数を４つまで表示する。普通図柄作動保留球数とは、普通図柄始動ゲート１２を通過し、且つ普通図柄表示部に普通当り判定の結果がまだ表示されていない遊技球の個数である。図柄表示部２４の第一特別図柄記憶数表示ＬＥＤは、第一特別図柄作動保留球数を４つまで表示する。第一特別図柄作動保留球数とは、第一特別図柄始動入賞口１４に入賞し、且つ第一大当り判定の結果がまだ表示されていない遊技球の個数である。第二特別図柄記憶数表示ＬＥＤは、第二特別図柄作動保留球数を４つまで表示する。第二特別図柄作動保留球数とは、第二特別図柄始動電動役物１５に入賞し、且つ第二大当り判定の結果がまだ表示されていない遊技球の個数である。
【００２５】
図示しないが、パチンコ機１の背面側には、各種基板を備えた制御部が設けられている。制御部の各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。中継基板は、主基板で行われた制御結果に基づいて、通常アタッカー１６の出退部材１６Ａ、Ｖアタッカー１７の開閉部材１７Ａを開閉するソレノイドを駆動する。また、演出基板のＣＰＵ（図示略）は、演出装置３０の左装飾体５０，右装飾体７０（図２参照）を作動する駆動モータ４０（図３参照）の駆動制御、演出装置３０が備える電飾用のＬＥＤ６１Ａ，８１Ａ（図６，図８参照）等の発光制御等を行う。
【００２６】
次に、演出装置３０の構造の詳細について説明する。図１に示すように、本実施形態の演出装置３０は、前述したように、飾り枠２９と表示装置２８との間の位置に、表示装置２８の下側外縁に沿って設けられる。図２、図３に示すように、演出装置３０は、左装飾体５０、右装飾体７０、支持体９０および駆動モータ４０を備える。演出装置３０は、非演出時には全体が飾り枠２９に隠れて遊技者から見え難い位置に設けられている（図１参照）。演出装置３０は、演出時には、左装飾体５０と右装飾体７０とが表示装置２８下部側の飾り枠２９の上方に露出し、表示装置２８の前面側に位置して演出を行う。
【００２７】
図２〜図４に示すように、支持体９０は、パチンコ機１への組み付け時の左右方向に長く延びる樹脂製の筐体内に、左装飾体５０および右装飾体７０の開閉動作のための駆動力を伝達する伝達部材９４を収容する。支持体９０の筐体は、前後方向略中央で前ケース９１（図４参照）と後ケース９２とに分割する。支持体９０は、左右方向の中央部９０Ｃが上下方向に細く、左部９０Ａおよび右部９０Ｂが中央部９０Ｃよりも上方に膨らむ形状を有する。支持体９０の右部９０Ｂで、後ケース９２の背面には駆動モータ４０が組み付けられる。駆動モータ４０は、例えばステッピングモータである。駆動モータ４０の駆動軸４１は断面がＤ字状に形成されており、先端部が右部９０Ｂ内に挿入される。
【００２８】
支持体９０の右部９０Ｂ内にはカム体９５とフォトセンサ９６が設けられる。カム体９５は、軸受部９５Ａと、遮蔽板９５Ｂと、シャフト部９５Ｃとを備える。軸受部９５Ａは、前後方向に延び、後端にＤ字状の孔が開口する円筒状の部位である。シャフト部９５Ｃは、軸受部９５Ａの前端から軸受部９５Ａに対して径方向外向きに延びる板状の部位である。遮蔽板９５Ｂは、軸受部９５Ａの前端で、軸受部９５Ａを挟んでシャフト部９５Ｃとは略反対側から径方向外向きに延びる略扇状の板体である。カム体９５は、軸受部９５Ａが駆動モータ４０の駆動軸４１の先端部に嵌められて、駆動軸４１に固定される。
【００２９】
カム体９５は、支持体９０の右部９０Ｂ内で、シャフト部９５Ｃを軸受部９５Ａの下方側に向けた状態に配置される。シャフト部９５Ｃは、先端部に、前向きに突出するピン９５Ｄを有する。ピン９５Ｄは、伝達部材９４の右端部９４Ｂに設けられた受け穴９４Ｄ（後述）に係合する。駆動モータ４０の駆動に伴いカム体９５が軸受部９５Ａを中心に回転すると、シャフト部９５Ｃのピン９５Ｄは左右方向に移動し、伝達部材９４の右端部９４Ｂを左右方向に移動させる。また、カム体９５の遮蔽板９５Ｂは軸受部９５Ａの上方側に向けた状態に配置される。遮蔽板９５Ｂは、駆動モータ４０の駆動に伴い、軸受部９５Ａの周方向に回転する。
【００３０】
フォトセンサ９６は、検出光の送信部と受信部とからなる検出部９６Ａを備え、受信部が検出光を受信した状態の信号と非受信の状態の信号とを出力するセンサである。フォトセンサ９６は、支持体９０の右部９０Ｂ内で、カム体９５よりも上側の位置に設けられ、検出部９６Ａを下方へ向けて配置する。カム体９５の遮蔽板９５Ｂは、駆動モータ４０の駆動に伴い、検出部９６Ａの送信部と受信部との間を通過する。遮蔽板９５Ｂが検出部９６Ａの送信部と受信部との間に位置する場合、フォトセンサ９６は、検出光が遮蔽板９５Ｂに遮られ、検出光が非受信の状態を示す信号を演出基板のＣＰＵ（図示略）に出力する。演出基板のＣＰＵは、カム体９５が回転し、フォトセンサ９６の信号が、検出光を受信する状態から非受信の状態になったときの駆動軸４１の回転位置を基準に、左装飾体５０および右装飾体７０の開閉動作のための駆動モータ４０の駆動制御を行う。
【００３１】
後ケース９２は、支持体９０の左部９０Ａにおける上部に、左右に並び前方へ向けて突出する２本の支持軸９２Ａ，９２Ｂを備える。前ケース９１は、支持体９０の左部９０Ａにおける上部に、前ケース９１と後ケース９２とが組み付けられた場合に、支持軸９２Ａ，９２Ｂの先端部を位置決めして固定する受け部９１Ａを有する。支持軸９２Ａ，９２Ｂは、それぞれ左装飾体５０，右装飾体７０が回動する際の支点であり、例えば真鍮製である。左装飾体５０および右装飾体７０については後述する。
【００３２】
伝達部材９４は、リブ構造によって補強された、左右方向に延びる棒状の部材である。伝達部材９４は、左端部９４Ａと右端部９４Ｂに、それぞれ前後方向に開口する受け穴９４Ｃ，９４Ｄを有し、左端部９４Ａに近い位置で、左端部９４Ａ側を上方へ向けて屈曲する。伝達部材９４は、右端部９４Ｂを支持体９０の右部９０Ｂ内に配置し、中央部９０Ｃ内を通って支持体９０の左部９０Ａ内に左端部９４Ａを配置して、支持体９０内で左右方向に移動することができる。受け穴９４Ｄは、前述したカム体９５のピン９５Ｄに係合し、受け穴９４Ｃは、後述する右装飾体７０のピン８６Ｉに係合する。伝達部材９４は、カム体９５を介して伝達される駆動モータ４０の駆動力を、左装飾体５０および右装飾体７０に伝達する。
【００３３】
支持体９０の左部９０Ａにおいて、前ケース９１には、前ケース９１の前面を覆う板状の保護板９３が設けられる。保護板９３は、前ケース９１の前面との間に間隙を有して前ケース９１に取り付けられる。演出装置３０において、左装飾体５０の電飾基板６１（図６参照）と、右装飾体７０の電飾基板８１（図８参照）とにそれぞれ通電するためのリード線（図示略）は、支持体９０に設けたフックに固定して配線される。支持体９０の左部９０Ａに配線されたリード線は、左装飾体５０および右装飾体７０の開閉動作に伴い曲げられたり伸ばされたりするため、フック間において配線位置が移動する。保護板９３は、左部９０Ａに配線されたリード線を覆い、パチンコ機１に設けられる他部材との干渉から保護する。
【００３４】
次に、左装飾体５０について説明する。図５、図６に示すように、左装飾体５０は、基端部５０Ａと先端部５０Ｂとの間で延び、基端部５０Ａに、前後方向を軸方向とする筒状の軸部６６Ａを備える。左装飾体５０は、軸部６６Ａに、前述した支持体９０の支持軸９２Ａ（図４参照）が挿通され、先端部５０Ｂ側が支持軸９２Ａを軸にして周方向に回動する部材である。左装飾体５０は、外枠５１、光透過体５６、電飾基板６１、背板６６および拡散板（図示略）を備える。
【００３５】
背板６６は、前後方向を厚み方向とする板材であり、縁部６６Ｂが前方へ向けて突出する凹部状に形成されている。背板６６は、基端部５０Ａに軸部６６Ａを備え、前面側に、外枠５１、光透過体５６および電飾基板６１が組み付けられる。背板６６を、基端部５０Ａを下方に配置し、先端部５０Ｂを上方に配置した場合に、縁部６６Ｂのうちの右側の部分は、先端部５０Ｂから基端部５０Ａに向けて真っ直ぐに延び、縁部６６Ｂのうちの左側の部分は、外枠５１の形状に合わせて形成されている。背板６６は、板面に、左右方向に延び上下方向に二列で複数並ぶ通気穴６６Ｃと、電飾基板６１への通電のためのリード線を配線する配線穴６６Ｄとを開口する。通気穴６６Ｃは、電飾基板６１が搭載するＬＥＤ６１Ａの発光に伴い生ずる熱を放熱する。軸部６６Ａは、外周面の右側から下側にかけての部分に、右装飾体７０のギア歯８６Ｅ（図８参照）と噛み合うギア歯６６Ｅを有する。また、軸部６６Ａの近傍には、縁部６６Ｂをさらに前方に突出させ、その先端部を左方に折り曲げて形成したフック６６Ｆが設けられている。フック６６Ｆは、電飾基板６１に通電するためのリード線が、左装飾体５０の回動時に軸部６６Ａに絡まないように、リード線を固定する部位である。また、先端部５０Ｂにおける縁部６６Ｂの右側側面には、左装飾体５０の回動時に右装飾体７０との衝突に伴う衝撃を緩和する緩衝部材６６Ｇが設けられている。
【００３６】
電飾基板６１は、演出装置３０の発光による演出を行うためのＬＥＤ６１Ａを搭載する基板である。電飾基板６１は、前面に複数のＬＥＤ６１Ａを実装し、背面にリード線との接続のためのコネクタ６１Ｂを実装する。電飾基板６１は、背板６６の縁部６６Ｂの形状に合わせた外形形状を有し、背板６６の凹部内に収容される。ＬＥＤ６１Ａから発せられる光は、電飾基板６１の板面と背板６６の縁部６６Ｂによって、電飾基板６１の後面側に漏れにくい。
【００３７】
光透過体５６は、電飾基板６１の前面側に配置され、ＬＥＤ６１Ａの光を透過し、演出装置３０の演出時に左装飾体５０を輝かせる装飾体である。光透過体５６は、電飾基板６１よりも若干小さく形成された前壁５６Ａと、前壁５６Ａの縁部から後方へ向けて延びる側壁５６Ｂによって、前壁５６Ａを底部とし、電飾基板６１側を開放する凹部形状を有する。光透過体５６は、透明もしくは半透明の部材によって形成され、前壁５６Ａの前面５６Ｈに、不規則な凹凸形状によって透過光の出射方向を拡散させる装飾部５６Ｃを備える。装飾部５６Ｃは、前壁５６Ａの前面５６Ｈのうち外枠５１によって覆われる部位には形成されておらず、外枠５１から露出する部分が前面５６Ｈにおいて立体的に盛り上がって形成されている。光透過体５６は、前壁５６Ａと側壁５６Ｂが形成する凹部内に、前壁と略同形状で、入射光を拡散して出射する拡散板（図示略）を配置する。電飾基板６１のＬＥＤ６１Ａから発せられる光は、拡散板によって拡散され、前壁５６Ａの装飾部５６Ｃによってさらに拡散されて、主に演出装置３０の前方に出射されるため、演出装置３０が発する光の強度を均一にすることができる。
【００３８】
光透過体５６の側壁５６Ｂのうち、基端部５０Ａを下方に配置し、先端部５０Ｂを上方に配置した場合の右端側に位置する右側壁５６Ｄは、先端部５０Ｂから基端部５０Ａに向けて真っ直ぐに延び、外面５６Ｆが右方を向く板状に形成されている。右側壁５６Ｄの外面５６Ｆは平坦であり、内側（左方側）の面は、凹凸状に形成されている。右側壁５６Ｄは、ＬＥＤ６１Ａの光を内側の面の凹凸形状によって拡散し、透過させて、外面５６Ｆから右方に出射する。また、右側壁５６Ｄの後方側の端部には、先端部５０Ｂから基端部５０Ａにかけて延び、右方に突出する反射部５６Ｅが形成されている。すなわち、反射部５６Ｅは、左装飾体５０の右側面において、光透過体５６が外枠５１から露出する部分の上下方向の全長にわたって形成されている。反射部５６Ｅは、後面側が前後方向に直交する平面状に形成され、前面側が、左方よりも右方を後方に配置する斜面状に形成されている。反射部５６Ｅは、電飾基板６１のＬＥＤ６１Ａが発する光と、後述する右装飾体７０の電飾基板８１のＬＥＤ８１Ａ（図８参照）が発する光を、主に演出装置３０の前方へ向けて反射する。
【００３９】
外枠５１は、光透過体５６の前壁５６Ａの一部と、側壁５６Ｂのうち右側壁５６Ｄを除く部分とを覆う枠体である。外枠５１は、ＬＥＤ６１Ａが発する光を、光透過体５６の装飾部５６Ｃおよび右側壁５６Ｄから出射させ、光透過体５６のそれ以外の部位からは出射されないように、背板６６の縁部６６Ｂごと光透過体５６を覆って遮蔽する。すなわち、光透過体５６は、光を拡散する装飾部５６Ｃを設けた前壁５６Ａの前面５６Ｈと、光を拡散する部位を内側の面に凹凸状に設けた右側壁５６Ｄの外面５６Ｆとが、前面５６Ｈと外面５６Ｆとがなす稜角部５６Ｇを含んで外枠５１から露出される。言い換えると、左装飾体５０は、前壁５６Ａの前面５６Ｈにおいて、右側壁５６Ｄの外面５６Ｆとの稜角部５６Ｇを含んだ状態で光透過体５６を露出する。左装飾体５０は、外枠５１と背板６６との間に光透過体５６および電飾基板６１を挟んだ状態で外枠５１と背板６６をビス留めすることで、一体に形成される。
【００４０】
次に、右装飾体７０について説明する。右装飾体７０は、左装飾体５０と略同様の構成を有するため、説明を簡略化して行う。図７、図８に示すように、右装飾体７０は、基端部７０Ａと先端部７０Ｂとの間で延び、基端部７０Ａに、支持体９０の支持軸９２Ｂ（図４参照）が挿通される軸部８６Ａを備える。右装飾体７０は、支持軸９２Ｂを軸にして先端部７０Ｂ側が周方向に回動する。右装飾体７０は、外枠７１、光透過体７６、電飾基板８１、背板８６および拡散板（図示略）を備える。
【００４１】
背板８６は、背板６６と同様に、縁部８６Ｂが前方へ向けて突出する凹部状の板体であり、基端部７０Ａに軸部８６Ａを備え、前面側に、外枠７１、光透過体７６および電飾基板８１が組み付けられる。縁部８６Ｂのうちの右側の部分は、先端部７０Ｂから基端部７０Ａに向けて真っ直ぐに延び、縁部８６Ｂのうちの左側の部分は、外枠７１の形状に合わせて形成されている。背板８６は、板面に、左右方向に延び、上下方向に二列で複数並ぶ放熱用の通気穴８６Ｃと、電飾基板８１への通電のためのリード線を配線する配線穴８６Ｄとを開口する。軸部８６Ａは、外周面の右側から下側にかけての部分に、左装飾体５０のギア歯６６Ｅ（図６参照）と噛み合うギア歯８６Ｅを有する。軸部８６Ａの近傍には、電飾基板８１に通電するためのリード線を固定するフック８６Ｆが設けられている。さらに、背板８６は、軸部８６Ａから右斜め下向きに突出する腕部８６Ｈの先端部に、前向きに突出するピン８６Ｉを有する。ピン８６Ｉは、前述した伝達部材９４の左端部９４Ａに設けられた受け穴９４Ｃに係合する。また、先端部７０Ｂにおける縁部８６Ｂの右側側面には、右装飾体７０の回動時に左装飾体５０との衝突に伴う衝撃を緩和するため、左装飾体５０の緩衝部材６６Ｇが嵌まる凹部８６Ｇが設けられている。
【００４２】
電飾基板８１は、前面に複数のＬＥＤ８１Ａを実装し、背面にリード線との接続のためのコネクタ（図示略）を実装する基板である。電飾基板８１は、背板８６の縁部８６Ｂの形状に合わせた外形形状を有し、背板８６の凹部内に収容される。よって、ＬＥＤ８１Ａから発せられる光は電飾基板８１の後面側に漏れにくい。
【００４３】
光透過体７６は、左装飾体５０の光透過体５６と同様に透明もしくは半透明の部材によって形成され、ＬＥＤ８１Ａの光を透過し、演出装置３０の演出時に右装飾体７０を輝かせる装飾体である。光透過体７６は、電飾基板８１よりも若干小さく形成された前壁７６Ａと、前壁７６Ａの縁部から後方へ向けて延びる側壁７６Ｂとがなす凹部形状を有し、凹部内に拡散板（図示略）を配置する。光透過体７６が前壁７６Ａの前面７６Ｈに備える装飾部７６Ｃは、外枠７１によって覆われる部位には形成されておらず、外枠７１から露出する部分が前面７６Ｈにおいて立体的に盛り上がって形成されている。光透過体７６の側壁７６Ｂのうちの左端側に位置する左側壁７６Ｄは、先端部７０Ｂから基端部７０Ａに向けて真っ直ぐに延び、外面７６Ｆが左方を向く板状に形成されている。左側壁７６Ｄの外面７６Ｆは平坦であり、内側（右方側）の面は、凹凸状に形成されている。左側壁７６Ｄは、ＬＥＤ８１Ａの光を内側の面の凹凸形状によって拡散し、透過させて、外面７６Ｆから左方に出射する。
【００４４】
左側壁７６Ｄは、前後方向の長さが、側壁７６Ｂの他の部位よりも短く形成されている。左側壁７６Ｄの後方側の端部は、右装飾体７０を組み立てた場合に、背板８６の縁部８６Ｂのうちの左側の部分との間に間隙を有し、右装飾体７０の左側の側面における開口部７６Ｅを形成する。左装飾体５０と右装飾体７０とがそれぞれ回動して互いの右側壁５６Ｄと左側壁７６Ｄとを向き合わせた場合に、右装飾体７０は、開口部７６Ｅ内に、左装飾体５０の反射部５６Ｅを収容する。
【００４５】
外枠７１は、背板８６の縁部８６Ｂごと、光透過体７６の前壁７６Ａの一部と、側壁７６Ｂのうち左側壁７６Ｄを除く部分とを覆い、ＬＥＤ８１Ａが発する光を光透過体７６の装飾部７６Ｃおよび左側壁７６Ｄ以外の部位から出射されないように遮蔽する。すなわち、光透過体７６は、光を拡散する装飾部７６Ｃを設けた前壁７６Ａの前面７６Ｈと、光を拡散する部位を内側の面に凹凸状に設けた左側壁７６Ｄの外面７６Ｆとが、前面７６Ｈと外面７６Ｆとがなす稜角部７６Ｇを含んで外枠７１から露出される。言い換えると、右装飾体７０は、前壁７６Ａの前面７６Ｈにおいて、左側壁７６Ｄの外面７６Ｆとの稜角部７６Ｇを含んだ状態で光透過体７６を露出する。右装飾体７０は、外枠７１と背板８６との間に光透過体７６および電飾基板８１を挟んだ状態で外枠７１と背板８６をビス留めすることで、一体に形成される。
【００４６】
次に、演出装置３０の動作について、図２、図９、図１０を参照して説明する。図２に示すように、演出基板のＣＰＵ（図示略）は、演出装置３０による演出を行わない場合、駆動モータ４０（図３参照）を駆動し、フォトセンサ９６が遮蔽板９５Ｂを検出する位置まで、カム体９５を正面視時計回りに回転させる。カム体９５は、シャフト部９５Ｃのピン９５Ｄで伝達部材９４の受け穴９４Ｄを押圧し、伝達部材９４を左方向に移動させる。伝達部材９４は、受け穴９４Ｃで右装飾体７０のピン８６Ｉを押圧し、左方向に移動させる。ピン８６Ｉは、基端部７０Ａの軸部８６Ａの下方に位置し、軸部８６Ａに係合する支持体９０の支持軸９２Ｂを中心に、右装飾体７０を正面視、時計回りに回転させる。左装飾体５０は、軸部６６Ａのギア歯６６Ｅが右装飾体７０の軸部８６Ａのギア歯８６Ｅに噛み合うため、右装飾体７０の回転に従動して、正面視、反時計回りに回転する。左装飾体５０と、右装飾体７０とは、互いの先端部５０Ｂ、７０Ｂが離れる方向に移動する。左装飾体５０と右装飾体７０は、光透過体５６の右側壁５６Ｄの外面５６Ｆと、光透過体７６の左側壁７６Ｄの外面７６Ｆとが互いに離間する離間位置に配置される。
【００４７】
図９に示すように、演出基板のＣＰＵは、演出装置３０による演出を行う場合、フォトセンサ９６が遮蔽板９５Ｂを検出する位置を基準に駆動モータ４０（図３参照）を所定量駆動し、カム体９５を正面視反時計回りに回転させる。カム体９５は、シャフト部９５Ｃのピン９５Ｄで伝達部材９４の受け穴９４Ｄを押圧し、伝達部材９４を右方向に移動させる。伝達部材９４は、受け穴９４Ｃで右装飾体７０のピン８６Ｉを押圧し、右方向に移動させる。基端部７０Ａの軸部８６Ａの下方に位置するピン８６Ｉは、軸部８６Ａに係合する支持体９０の支持軸９２Ｂを中心に、右装飾体７０を正面視、反時計回りに回転させる。左装飾体５０は、軸部６６Ａのギア歯６６Ｅが右装飾体７０の軸部８６Ａのギア歯８６Ｅと噛み合い、右装飾体７０の回転に従動して、正面視、時計回りに回転する。左装飾体５０と、右装飾体７０とは、互いの先端部５０Ｂ、７０Ｂが近づく方向に移動し、互いに衝突する。左装飾体５０の緩衝部材６６Ｇが、右装飾体７０の凹部８６Ｇに嵌まり、左装飾体５０と右装飾体７０の互いの衝突における衝撃が緩和される。左装飾体５０と右装飾体７０は、光透過体５６の右側壁５６Ｄの外面５６Ｆと、光透過体７６の左側壁７６Ｄの外面７６Ｆとが互いに近接する近接位置に配置される。
【００４８】
図１０に示すように、左装飾体５０と右装飾体７０とが近接位置にある場合、左装飾体５０の光透過体５６に設けられた反射部５６Ｅが、右装飾体７０の左側の側面に形成された開口部７６Ｅ内に収容される。前述したように、反射部５６Ｅは、光透過体５６の右側壁５６Ｄの後方側端部において、上下方向の全長にわたって形成されている。言い換えると、反射部５６Ｅは、右側壁５６Ｄの外面５６Ｆが、前壁５６Ａの前面５６Ｈとの稜角部５６Ｇにおいて占める範囲に対応する長さ分、外面５６Ｆにおいて延びる。したがって、演出装置３０を正面から見た場合、反射部５６Ｅは、左装飾体５０の光透過体５６の稜角部５６Ｇと、右装飾体７０の光透過体７６の稜角部７６Ｇとの間に生ずる間隙を埋める。すなわち、パチンコ機１の前面側から演出装置３０を見た場合に、左装飾体５０と右装飾体７０の間隙の奥は、反射部５６Ｅに遮られて見ることができない。
【００４９】
演出基板のＣＰＵは、左装飾体５０のＬＥＤ６１Ａと右装飾体７０のＬＥＤ８１Ａを、演出内容に合わせて発光させる。左装飾体５０において、ＬＥＤ６１Ａが発した光は、光透過体５６内で拡散板によって拡散され、前壁５６Ａ（図６参照）に設けられ、外枠５１から露出された装飾部５６Ｃでさらに拡散されて、主に演出装置３０の前方へ出射される。また、ＬＥＤ６１Ａが発した光は、右側壁５６Ｄ（図６参照）の内側の面に設けられた凹凸形状において拡散され、右側壁５６Ｄを透過し、外面５６Ｆから、主に左装飾体５０と右装飾体７０との間隙内に出射される。さらに、ＬＥＤ６１Ａが発した光は、右側壁５６Ｄに設けた反射部５６Ｅ内に入射し、反射部５６Ｅ内で反射され、左装飾体５０と右装飾体７０との間隙内で、主に演出装置３０の前方へ向けて出射される。
【００５０】
右装飾体７０においても同様であり、ＬＥＤ８１Ａが発した光は、光透過体７６内で拡散板によって拡散され、前壁７６Ａの装飾部７６Ｃでさらに拡散されて、主に演出装置３０の前方へ出射される。また、ＬＥＤ８１Ａが発した光は、左側壁７６Ｄ（図８参照）の内側の面に設けられた凹凸形状において拡散され、左側壁７６Ｄを透過し、外面７６Ｆから、主に左装飾体５０と右装飾体７０との間隙内に出射される。さらに、ＬＥＤ８１Ａが発した光は、開口部７６Ｅ内に収容された左装飾体５０の反射部５６Ｅに入射し、左装飾体５０と右装飾体７０との間隙内で、主に演出装置３０の前方へ向けて反射される。
【００５１】
したがって、左装飾体５０と右装飾体７０との間隙内は、左装飾体５０の右側壁５６Ｄの外面５６Ｆから出射される光と、右装飾体７０の左側壁７６Ｄの外面７６Ｆから出射される光によって照射され、明るくなる。これにより、左装飾体５０の光透過体５６の装飾部５６Ｃから出射される光と、右装飾体７０の光透過体７６の装飾部７６Ｃから出射される光との輝度差が小さくなるため、演出装置３０は、左装飾体５０と右装飾体７０との間隙を目立たなくすることができる。さらに、ＬＥＤ６１Ａ，８１Ａの光は、左装飾体５０の反射部５６Ｅによっても反射され、左装飾体５０と右装飾体７０との間隙内を通り、演出装置３０の前方へ向けて出射される。これにより、光透過体５６の装飾部５６Ｃから出射される光と、光透過体７６の装飾部７６Ｃから出射される光との輝度差がさらに小さくなるため、演出装置３０は、左装飾体５０と右装飾体７０との間隙を、より目立たなくすることができる。
【００５２】
以上説明したように、本発明に係る演出装置３０は、左装飾体５０と右装飾体７０を近接位置に移動した場合、稜角部５６Ｇと稜角部７６Ｇが近接して配置される。前面５６Ｈと外面５６Ｆにそれぞれ露出する光透過体５６と光透過体７６は、稜角部５６Ｇと稜角部７６Ｇを挟んで繋がった状態となるが、遊技者は、稜角部５６Ｇと稜角部７６Ｇとの間を通し、外面５６Ｆと外面７６Ｆとの間に生ずる間隙を視認できる。演出によって光透過体５６と光透過体７６が拡散光を出射する場合、前面５６Ｈと前面７６Ｈから放たれる光は、稜角部５６Ｇと稜角部７６Ｇの間で途切れる。しかし、外面５６Ｆと外面７６Ｆの間隙内は、外面５６Ｆから放たれる光と、外面７６Ｆから放たれる光によって照らされ、明るくなる。ゆえに演出装置３０は、外面５６Ｆと外面７６Ｆの間隙を目立たせにくくすることができる。
【００５３】
ところで、前面５６Ｈと前面７６Ｈにおいてそれぞれ露出する光透過体５６と光透過体７６が放つ光は、遊技者の目に直接入る。一方、外面５６Ｆと外面７６Ｆにおいてそれぞれ露出する光透過体５６と光透過体７６が放つ光は、外面５６Ｆと外面７６Ｆの間隙内を照らすものの、遊技者の目には間接的に入る。このため、遊技者は、前面５６Ｈと前面７６Ｈにそれぞれ露出する光透過体５６と光透過体７６が繋がった状態に見えるものの、稜角部５６Ｇと稜角部７６Ｇの間が暗く感じる場合がある。本実施形態では、左装飾体５０と右装飾体７０とが近接位置にある場合に外面５６Ｆと外面７６Ｆの間隙内に位置する反射部５６Ｅが、演出装置３０の前方へ向けて反射光を放ち、遊技者の目に直接入る。ゆえに演出装置３０は、外面５６Ｆと外面７６Ｆの間隙を、より目立たせにくくすることができる。
【００５４】
演出装置３０は、近接位置において、右側壁５６Ｄから突出する反射部５６Ｅを左側壁７６Ｄに設けた開口部７６Ｅ内に収容することができるので、外面５６Ｆと外面７６Ｆをより近接させることができ、外面５６Ｆと外面７６Ｆの間隙をより小さくできる。ゆえに演出装置３０は外面５６Ｆと外面７６Ｆの間隙を目立たなくすることができる。また、左装飾体５０と右装飾体７０との突き合わせの精度が低く、近接位置ながら、外面５６Ｆと外面７６Ｆの間隙が大きくなってしまう場合がある。こうした場合であっても、反射部５６Ｅは、一部を開口部７６Ｅに収容させた状態を確保できるので、左装飾体５０と右装飾体７０との間隙を正面側から見た場合に、反射部５６Ｅは、間隙を通した視線を遮ることができる。ゆえに演出装置３０は、左装飾体５０と右装飾体７０とが近接位置にある場合において間隙の奥側を遊技者に見させないようにでき、外面５６Ｆと外面７６Ｆの間隙を目立たせにくくすることができる。
【００５５】
また、反射部５６Ｅは、右側壁５６Ｄの外面５６Ｆが、前壁５６Ａの前面５６Ｈとの稜角部５６Ｇにおいて占める範囲に対応する長さ分、外面５６Ｆにおいて延びるので、反射光を、光透過体５６の形成範囲に合わせて出射することができる。ゆえに演出装置３０は、近接位置において、前面５６Ｈに露出する光透過体５６と前面７６Ｈに露出する光透過体７６が放つ拡散光を、反射部５６Ｅが放つ反射光で繋ぐように見せることができ、間隙を目立たせにくくすることができる。
【００５６】
本発明は、以上詳述した実施の形態に限定されるものではなく、本発明の要旨を逸脱しない範囲内において種々の変更が可能であることは言うまでもない。反射部５６Ｅは、左装飾体５０の光透過体５６に設けたが、右装飾体７０の光透過体７６にも設けてもよい。例えば、図１１に示す、演出装置１３０のように、左装飾体１５０の光透過部１５６と、右装飾体１７０の光透過部１７６に、それぞれ、反射部１５６Ｅ，１７６Ｅを、上下方向において互い違いに設けてもよい。左装飾体１５０と右装飾体１７０がそれぞれ反射部１５６Ｅと反射部１７６Ｅを備えることによって、ＬＥＤ６１Ａが発する光とＬＥＤ８１Ａが発する光は、左装飾体５０と右装飾体７０との間隙を、均一に、照らすことができる。ゆえに演出装置１３０は、間隙をさらに目立たせにくくすることができる。
【００５７】
また、反射部５６Ｅの前面は斜面状であり平坦であるが、凹凸状に形成してもよい。反射部５６Ｅの表面に凹凸状の加工を施すことで、反射部５６Ｅは、単に拡散光を演出装置３０の正面側へ反射するだけでなく、間隙内へ拡散することもできる。ゆえに演出装置３０は、間隙をさらに目立たせにくくすることができる。
【００５８】
また、左装飾体５０と右装飾体７０の構成を入れ替え、右装飾体７０が反射部５６Ｅを有し、左装飾体５０が開口部７６Ｅを有してもよい。開口部７６Ｅは、右装飾体７０内で凹部状に形成された部位であってもよく、右装飾体７０のＬＥＤ８１Ａの光が反射部５６Ｅに到達しない構成であってもよい。左装飾体５０および右装飾体７０が備えるＬＥＤ６１Ａ，８１Ａは、複数でなく、それぞれ１つずつであってもよい。反射部５６Ｅは、前面側を斜面状としたが、後面側を斜面状に形成し、側方から入射する光を前方に反射する鏡面加工を施してもよい。
【００５９】
特許請求の範囲、明細書および図面に記載される全ての要素は、個数を意識的に限定する明確な記載がない限り、物理的に単一であっても複数であっても構わないし、適宜配置の変更が行われても構わない。また、各要素につけられた名称（要素名）は、単に本件の記載のために便宜上付与したにすぎないものであり、それによって特別な意味が生じることを特に意識したものではない。したがって、要素名のみによって要素が何であるかが限定解釈されるものではない。さらには、上記全ての要素のうちの複数の要素を適宜一体的に構成するか、もしくはひとつの要素を複数の要素に分けて構成するかは、何れも当業者であれば容易に考えられる事項である。したがって、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【００６０】
なお、本発明においては、パチンコ機１が「遊技機」に相当する。ＬＥＤ６１Ａが「第一光源」に相当し、ＬＥＤ８１Ａが「第二光源」に相当する。光透過体５６が「第一拡散部」に相当し、光透過体７６が「第二拡散部」に相当する。前壁５６Ａの前面５６Ｈが「第一前面」に相当し、前壁７６Ａの前面７６Ｈが「第二前面」に相当する。右側壁５６Ｄの外面５６Ｆが「第一側面」に相当し、左側壁７６Ｄの外面７６Ｆが「第二側面」に相当する。左装飾体５０が「第一部材」に相当し、右装飾体７０が「第二部材」に相当する。駆動モータ４０、カム体９５および伝達部材９４が「移動機構」に相当する。稜角部５６Ｇ，７６Ｇが、それぞれ「第一稜角部」，「第二稜角部」に相当する。反射部５６Ｅが「第一反射部」に相当し、開口部７６Ｅが「凹部」に相当する。反射部１７６Ｅが「第二反射部」に相当する。
【符号の説明】
【００６１】
１                      パチンコ機
３０                      演出装置
４０                      駆動モータ
５０                      左装飾体
５６                      光透過体
５６Ｅ                    反射部
５６Ｆ，７６Ｆ            外面
５６Ｇ，７６Ｇ            稜角部
５６Ｈ，７６Ｈ            前面
６１Ａ，８１Ａ            ＬＥＤ
７０                      右装飾体
７６                      光透過体
７６Ｅ                    開口部
９４                      伝達部材
９５                      カム体
１７６Ｅ                    反射部
【図１】
2015116443.tif 000003
【図２】
2015116443.tif 000004
【図３】
2015116443.tif 000005
【図４】
2015116443.tif 000006
【図５】
2015116443.tif 000007
【図６】
2015116443.tif 000008
【図７】
2015116443.tif 000009
【図８】
2015116443.tif 000010
【図９】
2015116443.tif 000011
【図１０】
2015116443.tif 000012
【図１１】
2015116443.tif 000013